(57)【要約】      （修正有）【課題】振動により、締め付けたねじの緩みを阻止する緩み抑止ねじを提供する。【解決手段】互いに、同心に、はまり合う雄ねじ１と雌ねじ５の内、雌ねじ５の皿面取り８の一部に凸部７が形成されている。この凸部７は、雄ねじの山の頂４が通る軌道上にあり、尚且つ、雄ねじの山の頂４がすれ合う位置と大きさを有している。締め付けに際して、雄ねじの山の頂４は、斜めに傾けた状態で、雌ねじ５の凸部７を、軽くこすりながら締め付けることになる。締め付けた状態になると、雌ねじ５の座面３が被締結部材１１を押圧した状態になり、雌ねじ５の凸部７は、雄ねじの山の頂４を強圧して緩みを抑止する。【選択図】図１
2018044558.tif 000002
【特許請求の範囲】
【請求項１】
互いに、同心に、はまり合う雄ねじと雌ねじに於いて、前記雌ねじ上部の皿面取り付近には、前記雄ねじの山の頂が通る軌道上に凸部が形成されている。この凸部は、前記雄ねじの山の頂とすれ合う位置に形成され、尚且つ、前記雄ねじと前記雌ねじが締め付けた状態の時、前記雄ねじの山の頂に強圧して密着する大きさと位置を有したことを特徴とする緩み抑止ねじ。
【請求項２】
前記凸部は、頂面側から座面方向が、外周側へ傾斜した形状を有したことを特徴とする請求項１に記載の緩み抑止ねじ。
【発明の詳細な説明】
【技術分野】
【０００１】
本発明は振動下に於ける緩みを抑える緩み抑止ねじに関するものである。  
【背景技術】
【０００２】
従来、ねじは被締結部材を締め付けても振動等の要因で緩んでしまう。この緩みを防ぐために、ナイロンインサート付き六角ボルトや全金属製六角ナットのプリべリングトルク形戻り止めナットを使用していた。
【０００３】
その他に、特許文献１には、締結用ボルト及び該締結用ボルトを用いたねじ締結体が開示されている。特許文献２に、ナットのねじ谷底部が傾斜したねじの弛み防止構造が開示されている。特許文献３に、ねじ山圧力側フランク角度が雄ねじヘッド部方向へ傾け、そのフランク面を曲面上に形成させた締結部材のねじ山が開示されている。
【先行技術文献】
【特許文献】
【０００４】
【特許文献１】特開２０１２−７２８３７号公報
【特許文献２】特開２００８−２０８９８３号公報
【特許文献３】特開２００８−１４４９５５号公報
【発明の開示】
【発明が解決しようとする課題】
【０００５】
しかしながら、従来、雄ねじ及び雌ねじのフランク角は、基準山形において、各々が軸線に対して、およそ３０°が一般的である。この雄ねじと雌ねじに振動が生じると、一方が斜め方向に傾くようになり、前記雄ねじの頭部と被締結部材との接触面、あるいは前記雌ねじの座面と被締結部材との接触面に均一な圧力がかからない為、摩擦力が減少し、緩みが生じる。また、特許文献２の谷底部の傾斜角度２７度〜３７度の傾斜では、軸線が傾くため、緩み止め効果は、期待できない。特許文献３の、おねじのように、ねじ山圧力側フランクのフランク角を曲面上に形成すると、おねじとめねじは、無駄の多い曲面になり、製造技術や製造コストに於いて、難点がある。その為、本発明の根底をなす課題は、単純な形状で、尚且つ、製造コストも安価で、簡単な作業で締め付けることができる緩み抑止ねじを提供することを目的とする。
【課題を解決するための手段】
【０００６】
そこで本発明にあっては、上記課題を解決するために講じた本発明の手段は次のとおりである。第一手段にあっては、互いに、同心に、はまり合う雄ねじと雌ねじに於いて、前記雌ねじ上部の皿面取り付近には、前記雄ねじの山の頂が通る軌道上に凸部が形成されている。この凸部は、前記雄ねじの山の頂と、すれ合う位置に形成され、尚且つ、前記雄ねじと前記雌ねじが締め付けた状態の時、前記雄ねじの山の頂に強圧して密着する大きさと位置を有したことを特徴とする緩み抑止ねじである。
【０００７】
これによれば、前記雄ねじに前記雌ねじをねじ込む最中、双方のフランク間には、隙間があり、ぐらつくようになっている。このぐらついて傾いた側の前記雌ねじの前記皿面取りの一部に、軸線方向へ、前記凸部が形成されている。また、前記凸部を軸線に直角方向に測った距離は、前記雌ねじに前記雄ねじが、はまり合って、ねじ込み中の前記雌ねじの軸線が傾いた状態の時、前記雄ねじの山の頂と、軽くすれ合う距離としている。前記凸部は、前記雄ねじの山の頂の軌道に沿った方向へ細長い形状を有している。つまり、前記凸部は、前記皿面取りに設けてあり、また、前記雄ねじの山の頂が通る軌道上であり、さらに、前記凸部と前記雄ねじの山の頂とは、すれ合う距離に位置してあり、尚且つ、前記雄ねじの山の頂とは、点ではなく、線状に擦れながら密着するようにするのが望ましい。
【０００８】
第二手段にあっては、前記雌ねじの前記凸部は、頂面側から座面方向が、外周側へ傾斜した形状を有したことを特徴とする第一手段に係る緩み抑止ねじである。
【０００９】
これによれば、前記雄ねじに、はまり合った前記雌ねじが傾いた状態で、前記雄ねじの山の頂と、前記凸部の面とが平行に、こすれ合うようになっている。また、前記凸部の面の傾斜角度は、前記雌ねじの傾き角度と同じにして、こすれ合う接触面を大きくし、摩擦力を高めるようにしている。
【００１０】
前記雄ねじを、ねじ込む際に、この雄ねじの山の頂が、前記雌ねじの前記凸部を、軽くこすりながら締め付けるようになる。この状態で前記雄ねじは、前記雌ねじに対して、強制的に、斜めに傾きながら、ねじ込みを進行することになる。この時、前記雄ねじの軸線に対して前記雌ねじの軸線が傾いた状態になっている。締め付けた状態になると、被締結部材に前記雌ねじの座面が押圧されて、前記雄ねじの軸線と前記雌ねじの軸線が平行になる。この時、前記雄ねじの山の頂は、前記雌ねじの前記凸部によって、軸線側へ強く圧接される。この圧接により緩みを抑止するようになっている。
【００１１】
従来、おねじと螺合対象のナットとの間に相対的に軸同士の傾きや位置ずれがあると緩みの原因になる。前記雌ねじの前記凸部は、前記雄ねじと前記雌ねじとの、はめ合い部分の内、最も振動による影響を受ける場所の一つであり、最も影響を抑止できる場所の一つでもある。この位置に緩みの抑止を施すと、小さな力で効果的な緩み抑止ができる。.前記雄ねじの山の頂と前記雌ねじの前記凸部とが軸線に直角方向で圧接されているため、振動が生じても、緩まないようになっている。
【００１２】
本案の緩み防止ねじを、実施例として説明すれば、被締結部材を前記雄ねじと前記雌ねじで、締め付けるに従って、前記雌ねじの前記凸部と前記雄ねじの山の頂との間には、軽くすれ合うため、素手で締め付けを進めることができる。締め付け終了に近つき、スパナ等の工具で締め付けると、前記雄ねじの圧力側フランクと前記雌ねじの圧力側フランク同士が接触して、締め付けるに従って、前記雌ねじの前記凸部と前記雄ねじの山の頂とが、軸線に直角方向で接触しながら、圧接されるようになる。このため、振動が生じても前記雄ねじと前記雌ねじによって緩みが阻止されるようになる。                      
【発明の効果】
【００１３】
本発明によれば、前記雄ねじと前記雌ねじによる被締結部材の締め付けは、前記雌ねじの座面部側が被締結部材に押圧されるまで素手でねじ込むことができ、最後にスパナ等の工具で締め付けるだけで、前記雄ねじの山の頂は、前記雌ねじの前記凸部によって、ねじ合う回転が阻止されるため、振動による緩みを抑止する。また、製造する場合にも、低コストで技術的に簡単な作業で作ることができる。
【図面の簡単な説明】
【００１４】
【図１】本発明に係る緩み抑止ねじを締め付けた状態の概略断面図である。
【図２】本発明に係る緩み抑止ねじの締め付け中の概略断面図である。
【図３】本発明に係る緩み抑止ねじの平面図である。
【図４】本発明に係る緩み抑止ねじのA−A線の断面図である。
【発明を実施するための形態】
【００１５】
本発明の実施の形態について、図面に従って詳細に説明すれば、図１は、本発明の実施例を表す形態の雄ねじ１と雌ねじ５で締め付けた状態の概略断面図を示すが、雄ねじの山の頂４と雌ねじ５の凸部７は、強圧した状態になっている。被締結部材１１を雄ねじ１と雌ねじ５で締め付けると、雄ねじの圧力側フランク２と雌ねじの圧力側フランク６が、互いに接触し合致し、同時に、被締結部材１１と雌ねじ５の座面３とが密着し、雄ねじの山の頂４と雌ねじ５の凸部７が合致して強圧した状態を示している。この凸部７は、雄ねじ１の軸線に対して、雌ねじ５の軸線が傾いて、はまり合った時は、傾いた側の皿面取り８に設けてあり、頂面９から座面３方向が、外周側へ傾斜してあり、尚且つ、雌ねじ５の傾きと同じ傾斜角度を有している。また、雄ねじの山の頂４に、軽くこすれる大きさになっている。締め付けに際しては、斜めに傾きながら、ねじ込むようになっている。ねじ込み終了間近になると、雌ねじ１の座面３側が被締結部材１１を押圧しながら、斜めから、軸線同士は平行になろうとし、ねじ込み終了時は、軸線同士は、平行になっている。締め付けに従って、軸線同士が平行になろうとする時、座面３は、被締結部材１１に密着しようとする。凸部７は、雄ねじの山の頂４を軸線側へ強圧するため、緩みを抑止する。雄ねじ１と雌ねじ５とが、はまり合った時、皿面取り８の面と雄ねじの山の頂４との距離が凸部７の距離であり、さらに言えば、雄ねじ１と雌ねじ５の軸線同士が、斜めに傾いた状態の時、軽くすれ合う距離とし、軸線同士が平行になった時、強く擦れる距離となっている。
【００１６】
図２は、雄ねじ１と雌ねじ５とを、嵌め合わせた締結途中の状態の断面図を示している。この雄ねじ１と雌ねじ５で締め付けると、雌ねじ５の凸部７は、雄ねじ１が傾きながら、雄ねじの山の頂４を擦る大きさを有している。また、皿面取り８の面に沿って設けられている。また、雄ねじ１の傾きが小さい場合は、傾きの戻りも小さく、緩み止め効果も小さい。このため、対峙する雄ねじ１のフランクと緩み抑止ねじのフランクとの、すきまを大きくして、傾きを大きくした形状のものを用いるのが望ましい。
【００１７】
図３は、平面図を示している。凸部７は、皿面取り８の一部に、雄ねじの山の頂４が通る軌道上に設けている。この凸部７は、雄ねじの山の頂４が擦れる位置に設けられている。図４は、図３のA−A線の断面図である。図４に示すように、皿面取り８の一部には、雄ねじの山の頂４が通行する位置に、雌ねじ５の六分の一周の長さと、皿面取り８に収まる幅と、を備えた細長状の凸部７を形成するのが望ましい。この凸部７は、雄ねじの山の頂４が傾いた状態で、接触しながら擦れるようにしてねじ込まれるようになっている。雌ねじ５の凸部７は、雄ねじの山の頂４を軸線側へ強圧するようになっている。雌ねじ５の座面３は、軸線側から見て、凸部７と同じ直角方向側を高くした座面３を形成するのが望ましい。これによって、締め付けた状態の時、雌ねじ５の凸部７は、雄ねじの山の頂４を強力に圧接するようになり、緩み抑止が増すようになる。
【００１８】
本発明に係る緩み防止ねじの使用に際しては、雄ねじ１と雌ねじ５で被締結部材１１を締め付けるだけで緩み防止が得られる。
【００１９】
又、本発明は、上記実施の形態や実施例には限定されるものではなく、雄ねじ１、雌ねじ５は、鉄、ステンレス等、特許請求の範囲において、各部材の形状や素材等、適宜変更可能である。
【符号の説明】
【００２０】
１                    雄ねじ
２                    雄ねじの圧力側フランク
３                    座面
４                    雄ねじの山の頂
５                    雌ねじ
６                    雌ねじの圧力側フランク
７                    凸部      
８                    皿面取り                    
９                    頂面
１１                  被締結部材                
１３                  谷底
【図１】
2018044558.tif 000003
【図２】
2018044558.tif 000004
【図３】
2018044558.tif 000005
【図４】
2018044558.tif 000006